(57)【要約】【課題】不要シートの除去不良の発生を極力低減することができる不要シート除去装置および不要シート除去方法を提供すること。【解決手段】複数の接着シートＡＳと帯状の不要シートＵＳとが帯状の剥離シートＲＬに仮着された原反ＲＳを繰り出す繰出手段１０と、不要シートＵＳに所定の張力を付与し、当該不要シートＵＳを剥離シートＲＬから剥離する不要シート剥離手段２０とを備え、不要シート剥離手段２０は、不要シートＵＳを剥離シートＲＬから剥離している間において、当該不要シートＵＳに付与している所定の張力を緩和させる張力緩和動作を行うことが可能な張力緩和手段２２を備えている。【選択図】図１
2020057744.tif 000002
【特許請求の範囲】
【請求項１】
複数の接着シートと帯状の不要シートとが帯状の剥離シートに仮着された原反を繰り出す繰出手段と、
前記不要シートに所定の張力を付与し、当該不要シートを前記剥離シートから剥離する不要シート剥離手段とを備え、
前記繰出手段および前記不要シート剥離手段のうち少なくとも一方は、前記不要シートを前記剥離シートから剥離している間において、当該不要シートに付与している前記所定の張力を緩和させる張力緩和動作を行うことが可能な張力緩和手段を備えていることを特徴とする不要シート除去装置。
【請求項２】
前記不要シート剥離手段によって前記不要シートが前記剥離シートから剥離される所定の位置を剥離基準位置とし、当該剥離基準位置よりも前記原反の繰出方向下流側へ、前記不要シートが前記剥離シートと共に繰り出される前記不要シートの剥離不良を検知する剥離不良検知手段を備えていることを特徴とする請求項１に記載の不要シート除去装置。
【請求項３】
複数の接着シートと帯状の不要シートとが帯状の剥離シートに仮着された原反を繰り出す繰出工程と、
前記不要シートに所定の張力を付与し、当該不要シートを前記剥離シートから剥離する不要シート剥離工程とを実施し、
前記繰出工程および前記不要シート剥離工程のうち少なくとも一方では、前記不要シートを前記剥離シートから剥離している間において、当該不要シートに付与している前記所定の張力を緩和させる張力緩和動作を行う張力緩和工程を実施することを特徴とする不要シート除去方法。
【発明の詳細な説明】
【技術分野】
【０００１】
本発明は、不要シート除去装置および不要シート除去方法に関する。
【背景技術】
【０００２】
従来、複数の接着シートと帯状の不要シートとが帯状の剥離シートに仮着された原反を繰り出し、当該不要シートを剥離シートから剥離して除去する装置が知られている（例えば、特許文献１参照）。
【先行技術文献】
【特許文献】
【０００３】
【特許文献１】特開２００８−５５６６１号公報
【発明の概要】
【発明が解決しようとする課題】
【０００４】
しかしながら、特許文献１に記載された連続ラベル製造装置１１（不要シート除去装置）では、剥離紙２３（剥離シート）に対するラベルカス２１Ａ（不要シート）の接着力が強い場合、不要シートに過剰な張力が加わり、当該不要シートが軟弱または脆弱であったり、幅が細かったりした場合等において、当該不要シートが切断されて不要シートの除去不良が発生する。
【０００５】
本発明の目的は、不要シートの除去不良の発生を極力低減することができる不要シート除去装置および不要シート除去方法を提供することにある。
【課題を解決するための手段】
【０００６】
本発明は、請求項に記載した構成を採用した。
【発明の効果】
【０００７】
本発明によれば、不要シートに張力を付与しながら当該不要シートを剥離シートから剥離する過程において、当該不要シートにかかる張力を適宜に緩和させることができる。このため、不要シートに過剰な張力が加わりそうになっても、この過剰な張力が一旦解除された後、当該不要シートに再び張力が付与されるので、不要シートが軟弱または脆弱であったり、幅が狭かったりした場合等においても、当該不要シートが切断されることを極力低減し、不要シートの除去不良の発生を極力低減することができる。
また、剥離不良検知手段を備えれば、不要シートの剥離不良を検知した際に張力緩和動作を行うことができる。
【図面の簡単な説明】
【０００８】
【図１】本発明の一実施形態に係る不要シート除去装置の説明図。
【発明を実施するための形態】
【０００９】
以下、本発明の一実施形態を図面に基づいて説明する。
なお、本実施形態におけるＸ軸、Ｙ軸、Ｚ軸は、それぞれが直交する関係にあり、Ｘ軸およびＹ軸は、所定平面内の軸とし、Ｚ軸は、前記所定平面に直交する軸とする。さらに、本実施形態では、Ｙ軸と平行な図１の手前方向から観た場合を基準とし、方向を示した場合、「上」がＺ軸の矢印方向で「下」がその逆方向、「左」がＸ軸の矢印方向で「右」がその逆方向、「前」がＹ軸と平行な図１中手前方向で「後」がその逆方向とする。
【００１０】
図１において、不要シート除去装置ＥＡは、複数の接着シートＡＳと帯状の不要シートＵＳとが帯状の剥離シートＲＬに仮着された原反ＲＳを繰り出す繰出手段１０と、不要シートＵＳに所定の張力を付与し、当該不要シートＵＳを剥離シートＲＬから剥離する不要シート剥離手段２０と、不要シート剥離手段２０によって不要シートＵＳが剥離シートＲＬから剥離される所定の位置を剥離基準位置ＰＰとし、当該剥離基準位置ＰＰよりも原反ＲＳの繰出方向下流側へ、不要シートＵＳが剥離シートＲＬと共に繰り出される不要シートＵＳの剥離不良を検知する剥離不良検知手段３０とを備え、剥離シートＲＬから接着シートＡＳを剥離する接着シート剥離手段としての剥離板４０と、被着体ＷＫに接着シートＡＳを押圧して貼付する押圧手段としての押圧ローラ５０と、被着体ＷＫを支持する支持手段６０とでシート貼付装置ＥＡ１を形成している。
なお、不要シートＵＳは、原反ＲＳの延出方向に延びる複数の連続部ＵＳ１と、当該複数の連続部ＵＳ１のうち少なくとも２つを繋ぐ渡り部ＵＳ２とを有している。本実施形態の場合、不要シートＵＳは、２つの連続部ＵＳ１と、それら２つの連続部ＵＳ１を繋ぐ渡り部ＵＳ２とを有している。
【００１１】
繰出手段１０は、原反ＲＳを支持する支持ローラ１１と、原反ＲＳを案内するガイドローラ１２と、駆動機器としての回動モータ１３Ａの図示しない出力軸に支持され、ピンチローラ１３Ｂとで剥離シートＲＬを挟み込む駆動ローラ１３と、図示しない駆動機器の出力軸に支持され、ピンチローラ１３Ｂとの間に存在する剥離シートＲＬに常に所定の張力を付与して当該剥離シートＲＬを回収する回収ローラ１４とを備えている。
【００１２】
不要シート剥離手段２０は、不要シートＵＳを剥離シートＲＬから剥離する剥離部材としての剥離ローラ２１と、不要シートＵＳを剥離シートＲＬから剥離している間において、不要シートＵＳに付与している所定の張力を緩和させる張力緩和動作を行うことが可能な張力緩和手段２２と、図示しない駆動機器の出力軸に支持され、張力緩和手段２２との間に存在する不要シートＵＳに常に所定の張力を付与して当該不要シートＵＳを回収する不要シート回収ローラ２３とを備えている。
張力緩和手段２２は、駆動機器としての回動モータ２２Ａの図示しない出力軸に支持され、ピンチローラ２２Ｂとで不要シートＵＳを挟み込む張力付与ローラ２２Ｃを備えている。
【００１３】
支持手段６０は、駆動機器としてのリニアモータ６１のスライダ６１Ａに支持され、減圧ポンプや真空エジェクタ等の図示しない減圧手段（保持手段）によって吸着保持が可能な支持面６２Ａを有する被着体支持テーブル６２とを備えている。
【００１４】
以上の不要シート除去装置ＥＡを備えたシート貼付装置ＥＡ１の動作を説明する。
先ず、図１（Ａ）中実線で示す初期位置に各部材が配置されたシート貼付装置ＥＡ１に対し、当該シート貼付装置ＥＡ１の使用者（以下、単に「使用者」という）が原反ＲＳを同図に示すようにセットし、操作パネルやパーソナルコンピュータ等の図示しない操作手段を介して自動運転開始の信号を入力する。すると、繰出手段１０および不要シート剥離手段２０が回動モータ１３Ａ、２２Ａを駆動し、不要シートＵＳに所定の張力を付与して当該不要シートＵＳを剥離シートＲＬから剥離しつつ、原反ＲＳを繰り出す。
【００１５】
ここで、図１（Ｂ）に示すように、不要シートＵＳにおける渡り部ＵＳ１の剥離不良が発生し、剥離不良検知手段３０が当該不要シートＵＳの剥離不良を検知すると、不要シート剥離手段２０が張力緩和動作を少なくとも１回行う。この張力緩和動作は、図１（Ｃ）に示すように、不要シート剥離手段２０が回動モータ２２Ａの駆動を所定時間経過するまで停止することで実現される。続いて、不要シートＵＳに付与している張力が緩和されている状態から、不要シート剥離手段２０が回動モータ２２Ａを駆動し、図１（Ｄ）に示すように、不要シートＵＳに所定の張力を付与する。なお、本実施形態の場合、不要シート剥離手段２０は、１秒間に１０回の頻度で張力緩和動作を行うようになっている。
【００１６】
上記の張力緩和動作を行って、剥離不良検知手段３０が不要シートＵＳの剥離不良を検知しなくなると、不要シート剥離手段２０は、張力緩和動作を止めて不要シートＵＳに所定の張力を付与して当該不要シートＵＳを剥離シートＲＬから剥離する。次に、図１（Ａ）に示すように、先頭の接着シートＡＳの繰出方向先端部が剥離板４０の剥離縁４０Ａで所定長さ剥離されると、繰出手段１０および不要シート剥離手段２０が回動モータ１３Ａ、２２Ａの駆動を停止する。
【００１７】
そして、使用者または多関節ロボットやベルトコンベア等の図示しない搬送手段が、被着体支持テーブル６２上に被着体ＷＫを載置すると、支持手段６０が図示しない減圧手段を駆動し、支持面６２Ａでの被着体ＷＫの吸着保持を開始する。次いで、支持手段６０がリニアモータ６１を駆動し、被着体支持テーブル６２を左方に移動させ、被着体ＷＫが所定の位置に到達すると、繰出手段１０および不要シート剥離手段２０が回動モータ１３Ａ、２２Ａを駆動し、上記と同様にして不要シートＵＳを剥離シートＲＬから剥離しつつ、被着体ＷＫの移動速度に合わせて原反ＲＳを繰り出す。これにより、図１（Ａ）中二点鎖線で示すように、接着シートＡＳが剥離シートＲＬから剥離され、当該剥離シートＲＬから剥離された接着シートＡＳは、押圧ローラ５０によって被着体ＷＫに押圧されて貼付される。この際も、剥離不良検知手段３０が不要シートＵＳの剥離不良を検知すると、不要シート剥離手段２０が上記と同様の張力緩和動作を行う。その後、先頭の接着シートＡＳに次ぐ次の接着シートＡＳの繰出方向先端部が、剥離板４０の剥離縁４０Ａで所定長さ剥離されると、繰出手段１０および不要シート剥離手段２０が回動モータ１３Ａ、２２Ａの駆動を停止する。
【００１８】
次に、被着体ＷＫに接着シートＡＳ全体が貼付され、被着体支持テーブル６２が押圧ローラ５０の左方所定位置に到達すると、支持手段６０がリニアモータ６１の駆動を停止した後、図示しない減圧手段の駆動を停止し、支持面６２Ａでの被着体ＷＫの吸着保持を解除する。そして、使用者または図示しない搬送手段が、接着シートＡＳが貼付された被着体ＷＫを次工程に搬送すると、支持手段６０がリニアモータ６１を駆動し、被着体支持テーブル６２を初期位置に復帰させ、以降上記同様の動作が繰り返される。
【００１９】
以上のような実施形態によれば、不要シートＵＳに張力を付与しながら当該不要シートＵＳを剥離シートＲＬから剥離する過程において、当該不要シートＵＳにかかる張力を適宜に緩和させることができる。このため、不要シートＵＳに過剰な張力が加わりそうになっても、この過剰な張力が一旦解除された後、当該不要シートＵＳに再び張力が付与されるので、不要シートＵＳ軟弱または脆弱であったり、幅が狭かったりした場合等においても、当該不要シートＵＳが切断されることを極力低減し、不要シートＵＳの除去不良の発生を極力低減することができる。
【００２０】
本発明における手段及び工程は、それら手段及び工程について説明した動作、機能または工程を果たすことができる限りなんら限定されることはなく、まして、前記実施形態で示した単なる１実施形態の構成物や工程に全く限定されることはない。例えば、張力緩和手段は、不要シートを剥離シートから剥離している間において、不要シートに付与している所定の張力を緩和させる張力緩和動作を行うことが可能なものであれば、出願当初の技術常識に照らし合わせ、その技術範囲内のものであればなんら限定されることはない（その他の手段および工程も同じ）。
【００２１】
繰出手段１０は、帯状の接着シート基材が剥離シートＲＬに仮着された原反を採用し、接着シート基材に閉ループ状の切込を切断手段で形成し、その切込で仕切られた所定の領域を接着シートＡＳとしてもよいし、接着シートＡＳを剥離シートＲＬから剥離する際、原反ＲＳに所定の張力が付与されるように回動モータ１３Ａのトルク制御を行ってもよいし、原反ＲＳを巻回することなく例えばファンフォールド折りにして支持してもよいし、剥離シートＲＬを巻回することなく例えばファンフォールド折りにしたり、シュレッダ等で切り刻んだりして回収してもよいし、巻回したりファンフォールド折りにしたりすることなく単に集積して剥離シートＲＬを回収してもよいし、剥離シートＲＬを回収しなくてもよい。
【００２２】
不要シート剥離手段２０は、剥離ローラ２１を採用することなく、不要シートＵＳを剥離シートＲＬから剥離してもよいし、例えば、ファンフォールド折りにしたり、シュレッダ等で切り刻んだりして不要シートＵＳを回収してもよいし、巻回したりファンフォールド折りにしたりすることなく単に集積して不要シートＵＳを回収してもよいし、繰出手段１０が回動モータ１３Ａを駆動し、原反ＲＳを所定長さ繰り出して当該回動モータ１３Ａの駆動を停止した後、当該不要シート剥離手段２０が回動モータ２２Ａを駆動し、不要シートＵＳを剥離シートＲＬから剥離してもよく、この場合も当該不要シート剥離手段２０は、張力緩和動作を行うことができる。
不要シート剥離手段２０は、１秒間に９回以下の頻度で張力緩和動作を行うようにしてもよいし、１秒間に１１回以上の頻度で張力緩和動作を行うようにしてもよいし、不要シートＵＳを剥離シートＲＬから剥離している間において、張力緩和動作を１回だけ行ってもよいし２回以上行ってもよいし、例えば、回動モータ２２Ａの回転速度を遅くしたり、回動モータ２２Ａの回転トルクを弱めたり、回動モータ２２Ａの回転方向を反転したりして不要シートＵＳに加える張力を緩和させてもよく、張力緩和動作を行う頻度や回数、張力を緩和させる時間、張力緩和動作時において不要シートＵＳを剥離シートＲＬから剥離する量や時間、回動モータ２２Ａの回転速度、回転トルクまたは回転方向を使用者が任意に設定することができるし、剥離不良検知手段３０が不要シートＵＳの剥離不良を検知する前段または、部剥離不良を検知しなくなった後段において、張力緩和動作を行ってもよいし、繰出手段１０で原反ＲＳを繰り出す際、常に張力緩和動作を行ってもよいし、不要シートＵＳに付与される張力を検知可能なロードセルや圧力センサ等の張力検知手段を設け、不要シートＵＳに付与された張力が所定値に達したこと、所定の値を超えそうになったことまたは、所定の値を超えたこと等を当該張力検知手段が検知した際に、張力緩和動作を行うようにしてもよい。
【００２３】
剥離不良検知手段３０は、カメラや投影機等の撮像手段や、光学センサや超音波センサ等の各種センサ等が例示でき、連続部ＵＳ１のみによる不要シートＵＳの剥離不良を検知してもよいし、渡り部ＵＳ２のみによる不要シートＵＳの剥離不良を検知してもよいし、連続部ＵＳ１および渡り部ＵＳ２による不要シートＵＳの剥離不良を検知してもよいし、不要シートＵＳの剥離不良を検知できるものであればどのようなものが採用されてもよいし、繰出手段１０に掛け回された原反ＲＳの前後に一対配置されてもよいし、一対でなく、例えば、繰出手段１０に掛け回された原反ＲＳの前側のみ、または、後側のみに配置されていてもよいし、不要シート除去装置ＥＡやシート貼付装置ＥＡ１に備わっていなくてもよい。
【００２４】
押圧手段は、天地反転して配置したり横置きに配置したりして、被着体ＷＫの下面や側面等に接着シートＡＳを貼付するように構成してもよいし、押圧ローラ５０の代わりに、駆動機器であって押圧手段としての直動モータの出力軸に支持され、減圧ポンプや真空エジェクタ等の図示しない減圧手段によって吸着保持が可能な保持部材で接着シートＡＳを保持し、当該保持部材で保持した接着シートＡＳを被着体ＷＫに押圧して貼付する構成でもよいし、押圧ローラ５０を被着体ＷＫに離間接近させる押圧部材接離手段としての駆動機器を採用し、被着体ＷＫにストレスがかかったり損傷したりすることを防止するようにしてもよい。
【００２５】
支持手段６０は、被着体支持テーブル６２を移動させることなくまたは移動させつつ、押圧手段等の他の手段を移動させて被着体ＷＫに接着シートを貼付してもよいし、保持手段がなくてもよいし、他の装置で被着体ＷＫを支持する場合、シート貼付装置ＥＡ１に備わっていなくてもよい。
【００２６】
不要シート除去装置ＥＡは、繰出手段１０が張力緩和手段を備えていてもよい。この場合の張力緩和手段は、繰出手段１０を構成する回動モータ１３Ａと、ピンチローラ１３Ｂと、駆動ローラ１３とで構成され、上記の実施形態やその他の例で示したように、不要シート剥離手段２０が張力緩和動作を行うタイミングで、繰出手段１０が回動モータ１３Ａの駆動、停止、速度変更、トルク変更または回転方向変更等を行って張力緩和動作を行えばよい。なお、不要シート除去装置ＥＡは、繰出手段１０のみが張力緩和動作を行ってもよいし、不要シート剥離手段２０のみが張力緩和動作を行ってもよいし、繰出手段１０と不要シート剥離手段２０との両方が張力緩和動作を行ってもよい。
張力緩和手段は、回動モータ２２Ａ、ピンチローラ２２Ｂおよび張力付与ローラ２２Ｃを、不要シートＵＳの繰出方向上流側に移動させることで張力緩和動作を実現したり、回動モータ１３Ａ、ピンチローラ１３Ｂおよび駆動ローラ１３を、剥離シートＲＬの繰出方向上流側に移動させることで張力緩和動作を実現したりしてもよいし、シート貼付装置ＥＡ１の場合、剥離板４０を、原反ＲＳの繰出方向上流側に移動させることで張力緩和動作を実現してもよい。
不要シート除去装置ＥＡは、シート貼付装置ＥＡ１以外に、例えば、帯状の剥離シートＲＬに所定の間隔を隔てて複数の接着シートが仮着された原反ＲＳであって、不要シートＵＳのない原反ＲＳを形成する原反製造装置や、接着シートＡＳに所定の印刷や印字を行う印刷機械やプリンタ等、不要シートを除去する必要があるものであればどのようなものに採用されてもよい。
前記実施形態では、原反ＲＳの繰出方向に交差する方向（前後方向）両端部にそれぞれ連続部ＵＳ１が存在し、それら連続部ＵＳ１同士を繋ぐ渡り部ＵＳ２を有する不要シートＵＳを例示したが、不要シートＵＳは、例えば、原反ＲＳの両端部にそれぞれ連続部ＵＳ１が存在するとともに、当該原反ＲＳの中央部に１以上の連続部ＵＳ１が存在し、それら連続部ＵＳ１のうち少なくとも２つを繋ぐ渡り部ＵＳ２を有するものでもよいし、原反ＲＳの両端部のうち何れか一方の端部に連続部ＵＳ１が存在するとともに、当該原反ＲＳの中央部に１以上の連続部ＵＳ１が存在し、それら連続部ＵＳ１のうち少なくとも２つを繋ぐ渡り部ＵＳ２を有するものでもよいし、原反ＲＳの両端部の何れにも連続部ＵＳ１が存在せず、且つ、当該原反ＲＳの中央部に複数の連続部ＵＳ１が存在し、それら連続部ＵＳ１のうち少なくとも２つを繋ぐ渡り部ＵＳ２を有するものでもよいし、渡り部ＵＳ２がなく１本または複数本の連続部ＵＳ１のみからなるものでもよいし、原反ＲＳにおける接着シートＡＳの前方の端部のみに１本だけ連続部ＵＳ１を有するものでもよいし、原反ＲＳにおける接着シートＡＳの後方の端部のみに１本だけ連続部ＵＳ１を有するものでもよいし、原反ＲＳにおける接着シートＡＳの中央部に１本だけ連続部ＵＳ１を有するものでもよい。
不要シートＵＳは、剥離シートＲＬにおける接着シートＡＳが仮着された面に仮着されていてもよいし、剥離シートＲＬにおける接着シートＡＳが仮着されていない面に仮着されていてもよいし、剥離シートＲＬにおける接着シートＡＳが仮着された面および、剥離シートＲＬにおける接着シートＡＳが仮着されていない面の両方に仮着されていてもよいし、剥離シートＲＬにおける接着シートＡＳが仮着された面に仮着されている場合、接着シートＡＳと重ならないように当該接着シートＡＳに隣接して仮着されていてもよいし、接着シートＡＳと重ならないように当該接着シートＡＳから離れるようにして仮着されていてもよいし、接着シートＡＳと重なるように仮着されていてもよい。
【００２７】
本発明における接着シートＡＳおよび被着体ＷＫの材質、種別、形状等は、特に限定されることはない。例えば、接着シートＡＳは、円形、楕円形、三角形や四角形等の多角形、その他の形状であってもよいし、帯状の不要シートＵＳの形状もどのような形状でもよいし、接着シートＡＳおよび不要シートＵＳは、感圧接着性、感熱接着性等の接着形態のものであってもよく、感熱接着性の接着シートＡＳが採用された場合は、当該接着シートＡＳを加熱する適宜なコイルヒータやヒートパイプの加熱側等の加熱手段を設けるといった適宜な方法で接着されればよい。また、このような接着シートＡＳや不要シートＵＳは、例えば、接着剤層だけの単層のもの、基材と接着剤層との間に中間層を有するもの、基材の上面にカバー層を有する等３層以上のもの、更には、基材を接着剤層から剥離することのできる所謂両面接着シートのようなものであってもよく、両面接着シートは、単層又は複層の中間層を有するものや、中間層のない単層又は複層のものであってよい。また、被着体ＷＫとしては、例えば、食品、樹脂容器、シリコン半導体ウエハや化合物半導体ウエハ等の半導体ウエハ、回路基板、光ディスク等の情報記録基板、ガラス板、鋼板、陶器、木板または樹脂等の単体物であってもよいし、それら２つ以上で形成された複合物であってもよく、任意の形態の部材や物品なども対象とすることができる。なお、接着シートＡＳは、機能的、用途的な読み方に換え、例えば、情報記載用ラベル、装飾用ラベル、保護シート、ダイシングテープ、ダイアタッチフィルム、ダイボンディングテープ、記録層形成樹脂シート等の任意のシート、フィルム、テープ等でもよい。
【００２８】
前記実施形態における駆動機器は、回動モータ、直動モータ、リニアモータ、単軸ロボット、２軸または３軸以上の関節を備えた多関節ロボット等の電動機器、エアシリンダ、油圧シリンダ、ロッドレスシリンダ及びロータリシリンダ等のアクチュエータ等を採用することができる上、それらを直接的又は間接的に組み合せたものを採用することもできる。
前記実施形態において、ローラ等の回転部材が採用されている場合、当該回転部材を回転駆動させる駆動機器を備えてもよいし、回転部材の表面や回転部材自体をゴムや樹脂等の変形可能な部材で構成してもよいし、回転部材の表面や回転部材自体を変形しない部材で構成してもよいし、ローラの代わりに回転するまたは回転しないシャフトやブレード等の他の部材を採用してもよいし、押圧ローラや押圧ヘッド等の押圧手段や押圧部材といった被押圧物を押圧するものが採用されている場合、上記で例示したものに代えてまたは併用して、ローラ、丸棒、ブレード材、ゴム、樹脂、スポンジ等の部材を採用したり、大気やガス等の気体の吹き付けにより押圧する構成を採用したりしてもよいし、押圧するものをゴムや樹脂等の変形可能な部材で構成してもよいし、変形しない部材で構成してもよいし、剥離板や剥離ローラ等の剥離手段や剥離部材といった被剥離物を剥離するものが採用されている場合、上記で例示したものに代えてまたは併用して、板状部材、丸棒、ローラ等の部材を採用してもよいし、剥離するものをゴムや樹脂等の変形可能な部材で構成してもよいし、変形しない部材で構成してもよいし、支持（保持）手段や支持（保持）部材等の被支持部材（被保持部材）を支持（保持）するものが採用されている場合、メカチャックやチャックシリンダ等の把持手段、クーロン力、接着剤（接着シート、接着テープ）、粘着剤（粘着シート、粘着テープ）、磁力、ベルヌーイ吸着、吸引吸着、駆動機器等で被支持部材を支持（保持）する構成を採用してもよいし、切断手段や切断部材等の被切断部材を切断または、被切断部材に切込や切断線を形成するものが採用されている場合、上記で例示したものに代えてまたは併用して、カッター刃、レーザカッタ、イオンビーム、火力、熱、水圧、電熱線、気体や液体等の吹付け等で切断するものを採用したり、適宜な駆動機器を組み合わせたもので切断するものを移動させて切断するようにしたりしてもよい。
【符号の説明】
【００２９】
ＥＡ…不要シート除去装置
１０…繰出手段
２０…不要シート剥離手段
２２…張力緩和手段
３０…剥離不良検知手段
ＡＳ…接着シート
ＰＰ…剥離基準位置
ＲＬ…剥離シート
ＲＳ…原反
ＵＳ…不要シート
ＵＳ１…連続部
ＵＳ２…渡り部
【図１】
2020057744.tif 000003